(57)【要約】      （修正有）【課題】消費者の視界を妨げず蓋体の天面部分の構造を活かした調味料等の貯水構造を備えた包装用容器の蓋体を提供すること。【解決手段】平面視で略平坦な天面部１と、この天面部の周縁に設けられた側壁部２と、裏返った状態で食用の液体を貯水するためにこの天面部と一体的に形成された液体貯水部３とを備え、この液体貯水部は、この天面部に対して部分的に傾斜している傾斜部と、この傾斜部の下端部と連接している底部とで少なくとも形成される。【選択図】図１
2019011102.tif 000002
【特許請求の範囲】
【請求項１】
平面視で略平坦な天面部と、当該天面部の周縁に設けられた側壁部と、裏返った状態で食用の液体を貯水するために当該天面部と一体的に形成された液体貯水部を備え、
前記液体貯水部は、前記天面部に対して部分的に傾斜している傾斜部と、当該傾斜部の下端部と連接している底部とで少なくとも形成される
ことを特徴とする包装用容器の蓋体。
【請求項２】
前記底部が、前記天面部の略中央部分に配され、
前記傾斜部が、前記底部の周縁に対して少なくとも四方から連接している
ことを特徴とする請求項１に記載の包装用容器の蓋体。
【請求項３】
前記底部が、前記側壁部との境界に隣接する前記天面部の端部分及び／又は略中央部分に配され、
前記傾斜部が、前記側壁部と連接していない前記底部の周縁に対して一方向及び／又は対向する二方向から連接している
ことを特徴とする請求項１に記載の包装用容器の蓋体。
【請求項４】
前記天面部が、平面視で角部分を有する矩形状で、
前記底部が、前記側壁部との境界に隣接する前記天面部の角部分に配され、
前記傾斜部が、前記側壁部と連接していない前記底部の周縁に対して一方向から連接している
ことを特徴とする請求項１に記載の包装用容器の蓋体。
【請求項５】
前記液体貯水部が、さらに前記傾斜部の周縁に設けられた仕切り部を有し、
前記底部が、前記傾斜部の下端部と前記仕切り部の下端部との間又は略境界に配されている
ことを特徴とする請求項１に記載の包装用容器の蓋体。
【請求項６】
前記傾斜部が、各々の下端部が対向するように設けられた第一の傾斜部及び第二の傾斜部であり、
前記仕切り部が、前記第一の傾斜部の下端部及び前記第二の傾斜部の下端部から対向するように設けられた第一の仕切り部及び第二の仕切り部を有する
ことを特徴とする請求項５に記載の包装用容器の蓋体。
【発明の詳細な説明】
【技術分野】
【０００１】
本発明は、容器本体に収納した食品の調味料等の液体を貯水する構造を備えた蓋体に関する。
【背景技術】
【０００２】
従来から、例えば、スーパーマーケットやコンビニエンスストアで販売される食品を購入した消費者は、購入時の包装用容器のまま食品を食卓等に配膳するようになってきた。これは、消費者の生活習慣（例えば、独り暮らしや共働きにより食事の準備及び片づけに要する時間の短縮化等）や包装用容器の発達が影響していると考えられている。すなわち、食品の盛り付け及び食器の洗浄の負荷を回避したい消費者ニーズに応えるため、包装用容器のデザイン性や機能性も高まってきた。
【０００３】
このような食品包装の背景に応じて、食品（例えば、刺身や寿司）に用いる調味料（例えば、醤油やたれ）の受け皿構造も変化しており、例えば、包装用容器の蓋体の裏側に仕切りを設けて調味料を貯める構造が開示されている（例えば、特許文献１〜４参照．）。このような構造により、容器本体の食品の収納領域を狭めず、蓋体の裏面中に調味料が拡散してしまうことを予防する効果が期待されていた。
【先行技術文献】
【特許文献】
【０００４】
【特許文献１】特開平７−２１５３８４号公報
【特許文献２】実用新案登録第３０７２２３０号公報
【特許文献３】意匠登録第１４４３３０１号公報
【特許文献４】意匠登録第１４４３７１１号公報
【発明の概要】
【発明が解決しようとする課題】
【０００５】
しかしながら、特許文献１〜４では、通常の状態にて透明な蓋体の天面部分越しから容器本体内の食品を観察しにくくする恐れがある。すなわち、平坦状の天面部分に対して仕切りの厚みや溝が目立ち、消費者の視界に仕切りが入ってしまうため、その分食品の観察力が低下してしまう。このような問題に対する配慮が公知文献ではなされておらず、工夫の余地がある。
【０００６】
一方、一般的な包装用容器の蓋体では、食品の名称や値段等が印刷されたラベルが天面部分の右下に貼られるため、このラベルが貼られる領域に合わせて仕切りを設ければ、消費者の食品観察力の低下を軽減できる。このような発想に基づき、調味料を貯水する構造を活かしたラベルの貼り付け構造にも工夫の余地があるものの、この点について公知文献では記載も示唆もない。
【０００７】
また、蓋体に設けられた調味料の貯水構造を利用する消費者にとって、単なる調味料の受け皿替わりでは、心証形成に与える影響は低い。すなわち、仕切りの形状を工夫することで、調味料の貯水機能を提供するのみならす、消費者の視覚に与える美感を向上させる余地があるものの、この点について公知文献では記載も示唆もない。
【０００８】
そこで、本発明の目的は、消費者の視界を妨げず蓋体の天面部分の構造を活かした調味料等の貯水構造を備えた包装用容器の蓋体を提供することにある。本発明の別の目的は、ラベルの貼り付け構造を配慮した調味料等の貯水構造を備えた包装用容器の蓋体を提供することにある。本発明のまた別の目的は、消費者の心証形成に影響を与える調味料等の貯水構造を備えた包装用容器の蓋体を提供することにある。
【課題を解決するための手段】
【０００９】
すなわち、本発明による包装用容器の蓋体は、平面視で略平坦な天面部と、上記天面部の周縁に設けられた側壁部と、裏返った状態で食用の液体を貯水するために上記天面部と一体的に形成された液体貯水部とを備え、上記液体貯水部は、上記天面部に対して部分的に傾斜している傾斜部と、上記傾斜部の下端部と連接している底部とで少なくとも形成されることを特徴としてもよい。
【００１０】
また、上記底部が、上記天面部の略中央部分に配され、上記傾斜部が、上記底部の周縁に対して少なくとも四方から連接していることが望ましい。
【００１１】
また、上記底部が、上記側壁部との境界に隣接する上記天面部の端部分及び／又は略中央部分に配され、上記傾斜部が、上記側壁部と連接していない上記底部の周縁に対して一方向及び／又は対向する二方向から連接していることが望ましい。
【００１２】
また、上記天面部が、平面視で角部分を有する矩形状で、上記底部が、上記側壁部との境界に隣接する上記天面部の角部分に配され、上記傾斜部が、上記側壁部と連接していない上記底部の周縁に対して一方向から連接していることが望ましい。
【００１３】
また、本発明による包装用容器の蓋体は、上記液体貯水部が、さらに上記傾斜部の周縁に設けられた仕切り部を有し、上記底部が、上記傾斜部の下端部と上記仕切り部の下端部との間又は略境界に配されていることを特徴としてもよい。
【００１４】
また、上記傾斜部が、各々の下端部が対向するように設けられた第一の傾斜部及び第二の傾斜部であり、上記仕切り部が、上記第一の傾斜部の下端部及び上記第二の傾斜部の下端部から対向するように設けられた第一の仕切り部及び第二の仕切り部を有することが望ましい。
【００１５】
以下に、本発明を構成する各要件の定義、意味、又は具体例を示す。
【００１６】
「平面視で略平坦な天面部」とは、例えば、全体的又は部分的に高低差の小さい傾斜面が形成されていてもよく、完全な平面状以外の天面部も含まれることを意味してもよい。
【００１７】
「裏返った状態」とは、蓋体の通常の向き（容器本体の開口部分を閉蓋する逆凹向き）とは逆向き（凹向き）にした状態を意味してもよい。
【００１８】
「食用の液体」とは、包装用容器に盛り付けられる食品（刺身、寿司、揚げ物、サラダ等）の調味料が該当し、例えば、醤油、ソース、ケチャップ、マヨネーズ、マスタード、辣油、酢、レモン汁、ドレッシングでもよく、限定はない。
【００１９】
「傾斜部」とは、上述したように裏返った状態にて上記天面部に形成された傾斜面又は上記傾斜面を一部とする構造が該当してもよく、剛性を高めるために上記天面部の縦方向、横方向、斜め方向、又は放射状（四方を含む）に設けられた所定幅のリブ（上記天面部の補強構造）でもよい。
「部分的に傾斜している」とは、上記天面部の所定の部分（例えば、中央部分、端部分、角部分等）に上記傾斜部が形成されていることを意味し、上記天面部の中心に対して縦方向、横方向、又は斜め方向で対称となるように形成されていてもよい。
「傾斜部の下端部」は、直線状、波状、又は円弧状でもよい。
【００２０】
「底部」とは、天面部の一部で形成された矩形状、円形状、三角形状、又は線状（上記傾斜部の下端部と上記仕切り部の下端部との境界、上記傾斜部の下端部及び／又は上記仕切り部の下端部と上記側壁部の下端部分との境界）の領域でもよく、上記傾斜部の下端部及び／又は上記仕切り部の下端部の一部分でもよい。
「底部」が配される位置は、例えば、上記天面部の略中央部分、側壁部との境界に隣接する上記天面部の端部分、略中央部分から端部分までの間の部分、又は上記仕切り部との境界に隣接する上記天面部の所定の部分でもよい。
【００２１】
「仕切り部」とは、上記食用の液体が上記底部を越えて天面部に拡散しないようせき止める障壁を意味してもよく、単数又は複数の仕切り部で形成される輪郭の平面視上の形状は、例えば、自然物（富士山、雲など）、植物（木、花など）、動物（犬、猫など）、乗り物（飛行機、船、自動車など）、ヒト、キャラクターでもよく、限定はない。
【発明の効果】
【００２２】
本発明による包装用容器の蓋体では、液体貯水部が、天面部に対して部分的に傾斜している傾斜部と、傾斜部の下端部と連接している底部とで形成されることにより、天面部の形状を活かして食品用の液体を貯水する領域を形成することができる。すなわち、傾斜部により生じる天面部の高低差で食用の液体を底部側に寄せて溜められるため、液体貯水部を簡易な構造で成形形成することができる。さらに、液体をせき止める仕切りの形状を活かすことにより、液体貯水部を食品に関する情報のラベルを貼り付ける領域として兼用したり、消費者の心証形成の向上に寄与したりする効果も期待できる。
【００２３】
また、底部が天面部の略中央部分に配され、傾斜部が底部の周縁に対して少なくとも四方から連接していることにより、天面部のほぼ中央部分に液体貯水部を形成すると共に、傾斜部の形状、配置、及び組み合わせにより天面部の剛性を維持することができる。
【００２４】
また、底部が側壁部との境界に隣接する天面部の端部分及び／又は略中央部分に配され、傾斜部が側壁部と連接していない底部の周縁に対して一方向及び／又は対向する二方向から連接していることにより、傾斜部と側壁部とで底部を囲って液体貯水部を形成すると共に、液体貯水部の構造自体で天面部の剛性を維持する効果も期待できる。
【００２５】
また、天面部が平面視で角部分を有する矩形状で、底部が側壁部との境界に隣接する天面部の角部分に配され、傾斜部が側壁部と連接していない底部の周縁に対して一方向から連接していることにより、傾斜部と側壁部とで略三角形状の底部を囲って液体貯水部を形成すると共に、液体貯水部の構造自体で天面部の剛性を維持する効果も期待できる。
【００２６】
また、液体貯水部が傾斜部の周縁に設けられた仕切り部を有し、底部が傾斜部の下端部と仕切り部の下端部との間又は略境界に配されていることにより、通常の向きにおいて傾斜部が消費者の見やすい位置および向き（例えば、天面部の右下かつ手前側に傾斜している状態）に形成されていれば、液体貯水部の構造を食品等に関する情報のラベル貼付領域として活用する効果も期待できる。
【００２７】
また、傾斜部が、各々の下端部が対向するように設けられた第一の傾斜部及び第二の傾斜部であり、仕切り部が、第一の傾斜部の下端部及び第二の傾斜部の下端部から対向するように設けられた第一の仕切り部及び第二の仕切り部を有することにより、各々の仕切り部を隔てて第一の傾斜部に貯水した液体と第二の傾斜部に貯水した液体とが向き合って生じる配色効果を期待できる。
【図面の簡単な説明】
【００２８】
【図１】包装用容器の蓋体の一例を示す平面図である。
【図２】包装用容器の蓋体の一例を示す底面図である。
【図３】包装用容器の蓋体の一例を示す正面図である。
【図４】包装用容器の蓋体の一例を示す右側面図である。
【図５】包装用容器の蓋体の一例を示す端面図である。
【図６】包装用容器の蓋体の別の一例を示す平面図である。
【図７】包装用容器の蓋体の別の一例を示す底面図である。
【図８】包装用容器の蓋体の別の一例を示す正面図である。
【図９】包装用容器の蓋体の別の一例を示す右側面図である。
【図１０】包装用容器の蓋体の別の一例を示す端面図である。
【図１１】包装用容器の蓋体のまた別の一例を示す平面図である。
【図１２】包装用容器の蓋体のまた別の一例を示す底面図である。
【図１３】包装用容器の蓋体のまた別の一例を示す正面図ある。
【図１４】包装用容器の蓋体のまた別の一例を示す右側面図である。
【図１５】包装用容器の蓋体のまた別の一例を示す端面図である。
【図１６】包装用容器の蓋体のさらに別の一例を示す平面図である。
【図１７】包装用容器の蓋体のさらに別の一例を示す底面図である。
【図１８】包装用容器の蓋体のさらに別の一例を示す正面図である。
【図１９】包装用容器の蓋体のさらに別の一例を示す右側面図である。
【図２０】包装用容器の蓋体のさらに別の一例を示す端面図である。
【図２１】包装用容器の蓋体のまたさらに別の一例を示す平面図である。
【図２２】包装用容器の蓋体のまたさらに別の一例を示す底面図である。
【図２３】包装用容器の蓋体のまたさらに別の一例を示す正面図である。
【図２４】包装用容器の蓋体のまたさらに別の一例を示す背面図である。
【図２５】包装用容器の蓋体のまたさらに別の一例を示す右側面図である。
【図２６】包装用容器の蓋体のまたさらに別の一例を示す端面図である。
【図２７】包装用容器の蓋体のさらにまた別の一例を示す平面図である。
【図２８】包装用容器の蓋体のさらにまた別の一例を示す底面図である。
【図２９】包装用容器の蓋体のさらにまた別の一例を示す正面図である。
【図３０】包装用容器の蓋体のさらにまた別の一例を示す背面図である。
【図３１】包装用容器の蓋体のさらにまた別の一例を示す右側面図である。
【図３２】包装用容器の蓋体のさらにまた別の一例を示す端面図である。
【発明を実施するための形態】
【００２９】
以下、図１〜図３２を参照しつつ、本発明の一実施形態における包装用容器の蓋体（以下、「本包装用容器の蓋体」ともいう。）について説明する。
これらの図において、複数個存在する同一の部位については、一つの部位のみに符番しているものもある。図面上では確認できず見えない部位については、その部位の該当箇所や引き出し線を破線で示しているものもある。図面上では仮想で描写している部位については、その部位や引き出し線を二点鎖線で示しているものもある。図面上では、背面図が正面図及び／又は左側面図が右側面図と同一又は対称に表れる場合、背面図及び／又は左側面図を省略しているものもある。
なお、本包装用容器の蓋体の向きは、消費者が本包装用容器と向き合う通常の向きを基準としてもよく、この通常の向きを本包装用容器の蓋体の正面としてもよく、この正面に位置する消費者にとって近い方を手前側、遠い方を奥側、左手方向を左側、右手方向を右側、上方向を上側、下方向を下側と表現してもよい。
【００３０】
まず、本包装用容器の蓋体のうち、液体貯水部が種々の実施形態をそれぞれ有するため、図１〜図５を参照しつつ、本包装用容器の蓋体の基本構成及び各種蓋体の共通点について説明する。
【００３１】
図１〜図５に示すとおり、本包装用容器の蓋体は、平面視で略平坦な天面部１と、この天面部の周縁に設けられた側壁部２と、裏返った状態で食用の液体を貯水するためにこの天面部と一体的に形成された液体貯水部３とを備え、この液体貯水部は、この天面部に対して部分的に傾斜している傾斜部３１と、この傾斜部の下端部３１ａと連接している底部３２とで少なくとも形成されることを特徴としてもよい。
【００３２】
本包装用容器の蓋体は、食品等が収容される容器本体（図示しない）を閉蓋する平面視で略長方形状に成型された熱可塑性樹脂製の蓋体であって、平面視で略平坦な天面部１と、この天面部の周縁から下方に拡開する平坦状の側壁部２と、この側壁部の下端から外方に延出するフランジ部（符番しない）とを備えていてもよい。
なお、蓋体は、容器本体を外嵌合又は内嵌合にて閉蓋する構造でもよい。蓋体の形状は、平面視で正方形状、円形状、楕円形状でもよい。
【００３３】
天面部１は、平面視で略長方形状でもよい。天面部１の角部分から側壁部２の角部分に渡って隅切り状に形成されていてもよい。
側壁部２の所定の箇所における水平断面上の端面は、平面視で略長方形状（天面部１と相似形状）でもよい。側壁部２は、部分的にフランジ部（例えば、膨出部や幅広部）上に立ち上がっていてもよい。
なお、天面部の形状は、平面視で正方形状、円形状、楕円形状でもよい。天面部１又はこの天面部から側壁部に渡る部分には、商品説明や値段を表示するシール状のラベルの貼付領域が設けられていてもよい。ラベルの裏面には、商品説明や値段等の情報の記載がされていてもよく、これらの記載の上からシール材が塗布されていてもよい。
【００３４】
液体貯水部３は、本包装用容器の蓋体を裏返した状態で所定量の食品用の液体を貯水可能な構造であり、天面部１に対して全体的又は部分的に形成されていてもよい。天面部１に対する液体貯水部３の数は、単数でも２つ以上でもよい。天面部１に対する液体貯水部３の位置は、略中央部分、端部分（例えば、左端下、右端下など）、角部分、又はこれらのうち２つ以上に配されていてもよい。液体貯水部３の底部３２に対して連接する傾斜部３１の数は、単数でも２つ以上でもよい。
なお、平面状又は湾曲状、底部３２は、平面状、湾曲状、又は線状でもよい。底面部３２に対する傾斜部３１の傾きは、０°超９０℃未満であればいずれでもよく、限定はない。
【００３５】
次に、液体貯水部の種々の特徴について説明する。
なお、図１〜図５で示した部位と同等のものは、参照を容易にする等のため、図６〜図１０において一律１００を加えた番号にしてもよい。また、図１１〜図１５、図１６〜図２０、図２１〜図２６、及び図２７〜図３２においても同様に、一律２００〜５００を加えた番号にしてもよい。途中から新たに登場する部位については、周辺の部位に関連する番号にしてもよい。また、図５は図２、図１０は図７、図１５は図１２、図２０は図１７、図２６は図２２、図３２は図２８のＡ−Ａ、Ｂ−Ｂ部分におけるＣ−Ｃ端面図である。
【００３６】
図２及び図５に示す液体貯水部３の構成としては、底部３２が、天面部１の略中央部分に配され、傾斜部３１の下端部３１ａが、この底部の周縁に対して少なくとも四方から連接していてもよい。
【００３７】
通常の状態の天面部１においては、図１及び図３に示すように、中央部分が平面状で、全体的には僅かに略ドーム状に膨出している略平坦な形状であってもよい。
裏返った状態の天面部１においては、図２及び図５に示すように、天面部１の周縁の４辺からそれぞれ中央部分に向かって緩やかに湾曲している平面視で略台形状の傾斜部３１が計４つ設けてあり、この傾斜部の下端部３１ａが平面状の底部３２の周縁と連接していてもよい。さらに、隣接する略台形状の傾斜部３１同士の間には、天面部１の角部分からそれぞれ中央部分に向かって緩やかに湾曲している幅広の傾斜部３１が計４つ設けてあり、この傾斜部の下端部３１ａが平面状の底部３２の周縁と連接していてもよい。すなわち、液体貯水部３は、底部３２が略台形状の傾斜部３１と幅広の傾斜部３１とで囲まれて形成されていてもよい。略台形状の傾斜部３１と幅広な傾斜部３１とは、それぞれ緩やかな曲面を描いて一体的に形成されていてもよい。液体貯水部３を構成する幅広な傾斜部３１の各々は、通常の状態において天面部１の剛性を高めるリブとして機能してもよい。
【００３８】
この構成によれば、通常の状態において天面部１に容器本体内の食品の視認性を妨げる部位がなく、かつ蓋体の剛性が適度に維持されているため、食品の消費者に対して見た目上及び使用上の不快感を回避しつつ、裏返った状態において略中央部分に設けられた液体貯水部３に食品の液体を貯水して飲食に使用できる。
【００３９】
なお、傾斜部３１の数及び各々の形状は、天面部１の周縁や底部３２の周縁の形状に応じて選択してもよい。幅広な傾斜部３１の幅寸法は、５ｍｍ〜３０ｍｍが好ましく、１０ｍｍ〜２０ｍｍがより好ましく、５ｍｍ未満だと細過ぎてこの天面部に対して形状が目立ってしまい透明な蓋体の視認性が低下する恐れがあり、３０ｍｍ超だとこの天面部に所望の剛性を付加できない恐れがある。天面部１の膨出量（底部３２と天面部１の周縁との高低差）は、１ｍｍ〜５ｍｍが好ましく、１〜３ｍｍがより好ましく、１ｍｍ未満だと食品用の液体が貯水できない恐れがあり、５ｍｍ超だと液体貯水部の深さが深すぎて飲食しにくい恐れがある。
【００４０】
図７及び図１０に示す液体貯水部１０３の構成としては、底部１３２が、側壁部１３１との境界に隣接する天面部１０１の端部分に配され、傾斜部１３１の下端部１３１ａが、この側壁部と連接していないこの底部の周縁に対して一方向から連接していてもよい。
なお、液体貯水部１０３は、天面部１０１の両端かつ対称に設けられていてもよく、図面上では一方の液体貯水部のみ符番してもよい。
【００４１】
通常の状態の天面部１０１においては、図６及び８に示すように、略中央部分かつ側壁部３０２の長手壁の一端側から他端側に渡って凹状部分を有する形状であってもよい。
裏返った状態の天面部１０１においては、図７及び図１０に示すように、上述した凹状部分が凸状部分となり、この凸状部分の両側から短手壁側に向かって緩やかに傾斜している傾斜部１３１がそれぞれ設けてあり、この傾斜部の下端部１３１ａが平面状の底部１３２の周縁に該当する端部分と連接し、この端部分以外の部分は側壁部１０２の長手壁の一部かつ短手壁と連接していてもよい。すなわち、液体貯水部１０３は、底部１３２が傾斜部１３１と側壁部１０２の長手壁の一部及び短手壁とで囲まれて形成されてもよい。液体貯水部１０３は、通常の状態において天面部１０１の剛性を高めるリブとして機能してもよい。
【００４２】
この構造によれば、通常の状態において天面部１０１に容器本体内の食品の視認性を妨げる部位がなく、かつ蓋体の剛性が適度に維持されているため、食品の消費者に対して見た目上及び使用上の不快感を回避しつつ、裏返った状態において両端部分に設けられた液体貯水部１０３に２種類の食品の液体をそれぞれ貯水して飲食に使用できる。
【００４３】
なお、液体貯水部１０３の深さ（通常の状態での天面部１０１の頂点と凹状部分の最下点）との高低差は、１ｍｍ〜５ｍｍが好ましく、１ｍｍ〜３ｍｍがより好ましく、１ｍｍ未満だと食品用の液体が貯水できず、かつ天面部１０１に所望の剛性を付加できない恐れがあり、５ｍｍ超だと液体貯水部の深さが深すぎて飲食しにくく、かつこの天面部越しからの視認性が低下する恐れがある。
【００４４】
図１２及び図１５に示す液体貯水部２０３の構成としては、底部２３２が、側壁部２３１との境界に隣接する天面部２０１の端部分及び略中央部分に配され、傾斜部２３１の下端部２３１ａの双方が、この側壁部と連接していないこの底部の周縁に対して一方向又は対向する二方向から連接していてもよい。
なお、液体貯水部２０３は、天面部２０１の両端かつ対称に設けられていてもよく、図面上では一方の液体貯水部のみ符番してもよい。
【００４５】
通常の状態の天面部２０１においては、図１１及び図１３に示すように、略中央部分と双方の短手壁側との間かつ長手壁の一端側から他端側に渡って凹状部分を計２つ有する形状であってもよい。
裏返った状態の天面部２０１においては、図１２及び図１５に示すように、上述した凹状部分が凸状部分となり、これらの凸状部分の両側から短手壁側に向かって緩やかに傾斜している傾斜部２３１がそれぞれ設けてあり、この傾斜部の下端部２３１ａが平面状の底部２３２の周縁に該当する端部分と連接し、この底部の端部分以外の部分は側壁部２０２の長手壁の一部や長手壁の一部かつ短手壁と連接していてもよい。すなわち、中央部分の液体貯水部２０３は、底部２３２が双方の傾斜部２３１と側壁部２０２の長手壁の一部とで囲まれて形成されてもよい。両端部分の液体貯水部２０３は、底部２３２が一方の傾斜部２３１と側壁部２０２の長手壁の一部及び短手壁とで囲まれて形成されてもよい。液体貯水部２０３は、通常の状態において天面部２０１の剛性を高めるリブとして機能してもよい。
【００４６】
この構造によれば、通常の状態において天面部２０１に容器本体内の食品の視認性を妨げる部位がなく、かつ蓋体の剛性が適度に維持されているため、食品の消費者に対して見た目上及び使用上の不快感を回避しつつ、裏返った状態において略中央部分及び両端部分に設けられた液体貯水部２０３に３種類の食品の液体をそれぞれ貯水して飲食に使用できる。
【００４７】
図１７及び図２０に示す液体貯水部３０３の構成としては、天面部３０１が、平面視で角部分を有する矩形状で、底部３３２が、側壁部３０２との境界に隣接するこの天面部の角部分に配され、傾斜部３３１の下端部３３１ａが、この側壁部と連接していないこの底部の周縁に対して一方向から連接していてもよい。
なお、液体貯水部３０３は、天面部３０１の角部分に点対称に設けられていてもよく、図面上では一方の液体貯水部のみ符番してもよい。
【００４８】
通常の状態の天面部３０１においては、図１６及び図１８に示すように、略直角の角部分を形成する側壁部３０２の長手壁側から短手壁側に渡って幅広の凹状部分が点対称に配される形状であってもよい。
裏返った状態の天面部３０１においては、図１７及び図２０に示すように、上述した凹状部分が凸状部分となり、これらの凸状部分の少なくとも角部分側に緩やかに傾斜している傾斜部３３１がそれぞれ設けてあり、この傾斜部の下端部３３１ａが平面状の底部３３２の周縁に該当する端部分と連接し、この底部の端部分以外の部分は側壁部３０２（長手壁及び短手壁）と連接していてもよい。すなわち、液体貯水部３０３は、底部３３２が傾斜部３３１と側壁部３０２とで囲まれて形成されていてもよい。通常の状態において、液体貯水部３０３を構成する幅広の凹状部分は、天面部３０１の剛性を高めるリブとして機能してもよい。
【００４９】
この構造によれば、通常の状態において天面部３０１に容器本体内の食品の視認性を妨げる部位がなく、かつ蓋体の剛性が適度に維持されているため、食品の消費者に対して見た目上及び使用上の不快感を回避しつつ、裏返った状態において双方の角部分に設けられた液体貯水部３０３に２種類の食品の液体をそれぞれ貯水して飲食に使用できる。
【００５０】
図２２及び図２６に示す液体貯水部４０３の構成としては、さらに傾斜部４３１の周縁に設けられた仕切り部４３３を有し、底部４３１が、この傾斜部の下端部４３１ａとこの仕切り部の下端部（符番しない）との間又は略境界に配されていてもよい。
【００５１】
通常の状態の天面４０１においては、図２１及び図２３に示すように、側壁部４０２に連接するように略矩形状に形成された溝部分に囲まれて側壁部側（外側）に向かって傾斜している略矩形状の傾斜部分を有する形状が、略右下部分に配されていてもよい。
裏返った状態の天面部４０１においては、図２２及び図２６に示すように、上述した傾斜部分が側壁部４０２と連接して中央寄り（内側）に向かって傾斜している傾斜部４３１となり、上述した溝部分がこの傾斜部の周縁に設けられた仕切り部４３３となり、この傾斜部の下端部４３１ａとこの仕切り部とが接する部分に略線状の底部４３２が設けてあってもよい。すなわち、液体貯水部４０３は、略線状の底部４３２を形成する傾斜部４３１が仕切り部４３３に囲まれて形成されていてもよい。
【００５２】
この構成によれば、通常の状態において天面部４０１に容器本体内の食品の視認性を妨げる部位がなく、かつ略矩形状の傾斜部分に食品に関する情報ラベルを見えやすく貼り付けられるため、食品の消費者に対して見た目上の不快感を回避しつつ、裏返った状態において液体貯水部４０３に食品の液体を貯水できるのみならず、上記情報ラベルの裏面の記載事項も視認可能となる。ラベルの裏面の記載事項により消費者の注意を誘えれば、液体貯水部の利用頻度の向上も期待できる。
【００５３】
なお、傾斜部４３１の角度は、３°〜７°が好ましく、４°〜６°がより好ましく、３°未満だと食品用の液体が貯水できず、７°以上だと情報ラベルの記載事項が見えにくくなる恐れがある。底部４３２は平面状でもよく、傾斜部４３１の下端部４３１ａを含め一部分がこの底部でもよい。
【００５４】
図２８及び図３２に示す液体貯水部５０３の構成としては、傾斜部が、各々の下端部５３１ｍａ、５３１ｎａが対向するように設けられた第一の傾斜部５３１ｍ及び第二の傾斜部５３１ｎであり、仕切り部が、この第一の傾斜部の下端部及びこの第二の傾斜部の下端部から対向するように設けられた第一の仕切り部５３３ｍ及び第二の仕切り部５３３ｎを有していてもよい。
【００５５】
通常の状態の天面５０１においては、図２７及び図２９に示すように、山型の溝部分が形成され、この山型の溝部分の内側に波型の溝部分がさらに形成され、この波型の溝部分から側壁部５０２（外側）に向かって緩やか傾斜している山型の中腹から裾野に該当する傾斜部分と、この天面部の内側に向かって緩やかに傾斜している山型の頂上付近に該当する傾斜部分とを有する形状が、略左下部分に配されていてもよい。
一方、裏返った状態の天面部５０１においては、図２８及び図３２に示すように、上述した山型の溝部分が仕切り部５３３となり、波型の溝部分が第一の仕切り部５３３ｍ及び第二の仕切り部５３３ｎとなり、山型の中腹から裾野に該当する傾斜部分が第一の傾斜部５３１ｍ、山型の頂上付近に該当する傾斜部分が第二の傾斜部５３１ｎとなり、この第一の仕切り部と第一の傾斜部の下端部５３１ｍａとが接する部分を略線状の第一の底部５３２ｍ、この第二の仕切り部と第二の傾斜部の下端部５３１ｎａとが接する部分を略線状の第二の底部５３２ｎとしてもよい。すなわち、液体貯水部５０３は、略線状の第一の底部５３２ｍを形成する第一の傾斜部５３１ｍ及び第一の仕切り部５３３ｍと、略線状の第二の底部５３２ｎを形成する第二の傾斜部５３１ｎ及び第二の仕切り部５３３ｎとが互いに対向し、かつこれらが山型の仕切り部５３３に囲まれて形成されていてもよい。第一の仕切り部５３３ｍ及び第二の仕切り部５３２ｎは、Ｖ字状に形成された波型の溝部分が裏返って形成されたものでもよい。
【００５６】
この構成によれば、通常の状態において天面部５０１に容器本体内の食品の視認性を妨げる部位がなく、かつ山型の形状を視認できるため、食品の消費者に対して見た目上の不快感を回避しつつ良好な心証を形成できるばかりでなく、裏返った状態において液体貯水部５０３に食品の液体を貯水するのみならず、この液体が第一の及び第二の傾斜部をゆっくり流れ落ちて第一及び第二の仕切り部でせき止められることにより生じるグラデーション効果を演出することもできる。
【００５７】
なお、第一の傾斜部５３１ｍ及び第二の傾斜部５３１ｎの角度の範囲は、上述した傾斜部４３１と同等でもよく、上述したグラデーション効果を考慮してこの第一の傾斜部と第二の傾斜部との角度が異なっていてもよい。第一の仕切り部５３３ｍと第二の仕切り部５３２ｎとの距離に限定はなく、上述したグラデーション効果を考慮して広めでも狭めでもよい。
【００５８】
したがって、これらの液体貯水部の実施形態には、以下の効果が期待できる。
【００５９】
まず、本包装用容器の蓋体では、液体貯水部３・１０３〜５０３が、天面部１・１０１〜５０１に対して部分的に傾斜している傾斜部３１・１３１〜５３１ｍ及び５３１ｎと、この傾斜部の下端部３１ａ・１３１ａ〜５３１ｍａ及び５３１ｎａと連接している底部３２・１３２〜５３２ｍ及び５３２ｎとで形成されることにより、この天面部の形状を活かして食品用の液体を貯水する領域を形成することができる。すなわち、傾斜部により生じる天面部の高低差で食用の液体を底部側に寄せて溜められるため、各種の液体貯水部を簡易な構造で成形形成することができる。さらに、液体をせき止める仕切りの形状を活かすことにより、液体貯水部４０１・５０１を食品に関する情報のラベルを貼り付ける領域として兼用したり、消費者の心証形成の向上に寄与したりする効果も期待できる。
【００６０】
また、底部３２が天面部１の略中央部分に配され、傾斜部３１がこの底部の周縁に対して少なくとも四方から連接していることにより、この天面部のほぼ中央部分に液体貯水部３を形成すると共に、この傾斜部の形状、配置、及び組み合わせにより天面部の剛性を維持することができる。
【００６１】
また、底部１３２が側壁部１０２との境界に隣接する天面部１０１の端部分及びに配され、傾斜部１３１が側壁部１０２と連接していない底部の周縁に対して一方向から連接していることにより、この傾斜部と側壁部とで底部を囲って液体貯水部１０３を形成すると共に、この液体貯水部の構造自体で天面部の剛性を維持する効果も期待できる。
【００６２】
また、底部２３２が側壁部２０２との境界に隣接する天面部２０１の端部分及び略中央部分に配され、傾斜部２３１が側壁部２０２と連接していない底部の周縁に対して一方向又は対向する二方向から連接していることにより、この傾斜部と側壁部とで底部を囲って液体貯水部２０３を形成すると共に、この液体貯水部の構造自体で天面部の剛性を維持する効果も期待できる。
【００６３】
また、天面部３０１が平面視で角部分を有する矩形状で、底部３３２が側壁部３０２との境界に隣接するこの天面部の角部分に配され、傾斜部３３１がこの側壁部と連接していない底部の周縁に対して一方向から連接していることにより、この傾斜部と側壁部とで略三角形状の底部を囲って液体貯水部３０３を形成すると共に、この液体貯水部の構造自体で天面部の剛性を維持する効果も期待できる。
【００６４】
また、液体貯水部４０３が傾斜部４３１の周縁に設けられた仕切り部４３３を有し、底部４３２がこの傾斜部の下端部４３１ａとこの仕切り部の下端部との間又は略境界に配されていることにより、通常の向きにおいて傾斜部が消費者の見やすい位置および向き（例えば、天面部の右下かつ手前側に傾斜している状態）に形成されていれば、この液体貯水部の構造を食品等に関する情報のラベル貼付領域として活用する効果も期待できる。
【００６５】
また、傾斜部が、各々の下端部が対向するように設けられた第一の傾斜部５３１ｍ及び第二の傾斜部５３１ｎであり、仕切り部５３３が、この第一の傾斜部の下端部５３１ｍａ及び第二の傾斜部の下端部５３１ｎａから対向するように設けられた第一の仕切り部５３３ｍ及び第二の仕切り部５３３ｎを有することにより、各々の仕切り部を隔ててこの第一の傾斜部に貯水した液体と第二の傾斜部に貯水した液体とが向き合って生じる配色効果を期待できる。
【００６６】
なお、本実施形態における蓋体（及びこの蓋体にて閉蓋する容器本体）は、例えば真空成型、熱板圧空成型、真空圧空成型、両面真空成型等のシート成型で、合成樹脂シートを熱成型することにより形成されてもよい。合成樹脂シートとしては、例えば、ポリエチレンテレフタレート等のポリエステル系樹脂、ポリスチレン等のスチレン系樹脂、ポリプロピレン等のオレフィン系樹脂で、単層や多層のシートを使用してもよい。樹脂としては、例えば、発泡樹脂を使用すれば、軽量かつ断熱性があり好ましい。さらに、シートの表面または裏面を合成樹脂フィルムで覆ってもよく、表面を覆った場合は印刷を施してもよい。合成樹脂シートの厚みは特に制限はないが、０．１５〜０．５ｍｍであればよく、好ましくは０．１８〜０．４５ｍｍ、より好ましくは０．２〜０．３５ｍｍである。
【符号の説明】
【００６７】
１、１０１、２０１、３０１、４０１、５０１    天面部
２、１０２、２０２、３０２、４０２、５０２    側壁部
３、１０３、２０３、３０３、４０３、５０３    液体貯水部
３１、１３１、２３１、３３１、４３１、５３１ｍ、５３１ｎ    傾斜部
３１ａ、１３１ａ、２３１ａ、３３１ａ、４３１ａ、５３１ｍａ、５３１ｎａ    傾斜部の下端部
３２、１３２、２３２、３３２、４３２、５３２ｍ、５３２ｎ    底部
４３３、５３３、５３３ｍ、５３３ｎ    仕切り部
【図１】
2019011102.tif 000003
【図２】
2019011102.tif 000004
【図３】
2019011102.tif 000005
【図４】
2019011102.tif 000006
【図５】
2019011102.tif 000007
【図６】
2019011102.tif 000008
【図７】
2019011102.tif 000009
【図８】
2019011102.tif 000010
【図９】
2019011102.tif 000011
【図１０】
2019011102.tif 000012
【図１１】
2019011102.tif 000013
【図１２】
2019011102.tif 000014
【図１３】
2019011102.tif 000015
【図１４】
2019011102.tif 000016
【図１５】
2019011102.tif 000017
【図１６】
2019011102.tif 000018
【図１７】
2019011102.tif 000019
【図１８】
2019011102.tif 000020
【図１９】
2019011102.tif 000021
【図２０】
2019011102.tif 000022
【図２１】
2019011102.tif 000023
【図２２】
2019011102.tif 000024
【図２３】
2019011102.tif 000025
【図２４】
2019011102.tif 000026
【図２５】
2019011102.tif 000027
【図２６】
2019011102.tif 000028
【図２７】
2019011102.tif 000029
【図２８】
2019011102.tif 000030
【図２９】
2019011102.tif 000031
【図３０】
2019011102.tif 000032
【図３１】
2019011102.tif 000033
【図３２】
2019011102.tif 000034